(57)【特許請求の範囲】
【請求項１】
第１の色が付された第１の図形と、第２の色が付された第２の図形とを、表示装置の画面における異なる位置に表示されるように配置した画像を生成し、該生成した画像を表示装置の画面に出力する出力手段と、
前記画面に出力された画像の閲覧者にとって、前記第１の図形と前記第２の図形とが同じ色に見えたか否かを示す回答を受け付ける受付手段と、
前記受付手段が受け付けた回答に基づいて、前記第１の図形を見るときの前記閲覧者の前記画面に対する視角と、前記第２の図形を見るときの前記閲覧者の前記画面に対する視角と、の違いに起因する前記表示装置の表示特性を評価する評価手段と
を具備することを特徴とする表示評価装置。
【請求項２】
第１の色が付された第１の図形と、前記第１の色と異なる色を含む複数の色がそれぞれ付された複数の図形群とを、表示装置の画面における異なる位置に表示されるように配置した画像を生成し、該生成した画像を表示装置の画面に出力する出力手段と、
前記画面に出力された画像の閲覧者にとって、前記複数の図形群のうちどの図形が前記第１の図形と同じ色に見えたかを示す回答を受け付ける受付手段と、  
前記受付手段が受け付けた回答に基づいて、前記第１の図形を見るときの前記閲覧者の前記画面に対する視角と、前記複数の図形群のうち前記第１の図形と同じ色に見える図形を見るときの前記閲覧者の前記画面に対する視角と、の違いに起因する前記表示装置の画面の表示特性を評価する評価手段と  
を具備することを特徴とする表示評価装置。
【請求項３】
第１の色が付された第１の図形と、前記第１の色と異なる色を含むグラデーションで構成されたグラデーションの図形とを、表示装置の画面における異なる位置に表示されるように配置した画像を生成し、該生成した画像を表示装置の画面に出力する出力手段と、
前記画面に出力された画像の閲覧者にとって、前記グラデーションの図形におけるどの領域が前記第１の図形と同じ色に見えたかを示す回答を受け付ける受付手段と、  
前記受付手段が受け付けた回答に基づいて、前記第１の図形を見るときの前記閲覧者の前記画面に対する視角と、前記グラデーションの図形における前記第１の図形と同じ色に見える領域を見るときの前記閲覧者の前記画面に対する視角と、の違いに起因する前記表示装置の画面の表示特性を評価する評価手段と  
を具備することを特徴とする表示評価装置。
【請求項４】
前記受付手段により前記閲覧者にとっては前記第１の図形と同じ色に見えるとの回答を受け付けた前記図形又は前記領域が、前記出力手段により前記第１の図形と異なる色を出力したものであった場合には、前記評価手段は、前記表示装置の画面に前記視角の違いに応じた色再現特性の違いがあると評価すること
を特徴とする請求項１〜３のいずれかに記載の表示評価装置。
【請求項５】
前記評価手段は、前記第１の図形と同じ色に見えるとの回答を受け付けた前記図形又は前記領域の色と、前記第１の色とを比較すると共に、該色の差分だけ階調が潰れているものとして前記表示装置の表示特性に不具合があることを評価すること
を特徴とする請求項４に記載の表示評価装置。
【請求項６】
前記評価手段による評価結果に応じて、前記表示装置に出力する画像の色再現特性を調整する調整手段を更に備えること
を特徴とする請求項１〜５のいずれかに記載の表示調整装置。
【請求項７】
前記評価手段により前記差分だけ階調が潰れているものと評価された場合には、当該差分に該当する色を同一の値に変換されるよう、前記表示装置に出力する画像の色再現特性を調整する調整手段を更に備えること
を特徴とする請求項５記載の表示調整装置。
【発明の詳細な説明】
【技術分野】
【０００１】
本発明は、表示評価装置、表示評価プログラム、表示調整装置、表示調整プログラムに関する。
【背景技術】
【０００２】
情報等を画像として表示する表示装置は、その画面と、当該画面に表示している情報の閲覧者の視点の角度である視角によって、当該表示装置の表示特性が異なっているように認識されることがある。
【０００３】
このため、閲覧者の視角に応じて表示特性を調整する技術や（例えば、特許文献１参照）、当該事象を利用して特定の視角において画面を閲覧できないようにする技術（例えば、特許文献２参照）等が提案されている。
【先行技術文献】
【特許文献】
【０００４】
【特許文献１】特開平１０−３０１０９２号公報
【特許文献２】特開２００８−２７５８５５号公報
【発明の概要】
【発明が解決しようとする課題】
【０００５】
本発明は、閲覧者が画面の異なる位置を閲覧する際の視角の差によって生じる表示特性を評価する表示評価装置、表示評価プログラム、表示調整装置、表示調整プログラムを提供することを目的とする。
【課題を解決するための手段】
【０００６】
上述した目的を達成するため、請求項１の発明は、第１の図形と１つ以上の第２の図形とを該第１の図形と該第２の図形とが接しない位置にそれぞれ配置した画像を生成し、該生成した画像を表示装置に出力する出力手段と、前記出力手段が出力した画像に応じた設問に対する回答を受け付ける受付手段と、前記受付手段が受け付けた回答に基づいて前記表示装置の表示特性を評価する評価手段とを具備することを特徴とする。
【０００７】
また、請求項２の発明は、請求項１の発明において、前記第２の図形は、前記第１の図形と異なる色の図形を含む複数の図形であり、該複数の図形がそれぞれ接しない位置に配置されることを特徴とする。
【０００８】
また、請求項３の発明は、請求項１の発明において、前記第２の図形は、漸次的に異なる複数色で構成された１つの図形であり、該複数色に前記第１の図形と同じ色を含むことを特徴とする。
【０００９】
また、請求項４の発明は、請求項１の発明において、前記出力手段は、前記第１の図形および前記第２の図形の色と、該第１の図形および該第２の図形の配置位置との少なくとも一方を変化させた複数の画像を生成し、該生成した画像を前記表示装置に順次出力し、前記受付手段は、前記出力手段が前記表示装置に画像を出力する毎に各画像に応じた設問に対する回答を受け付け、前記評価手段は、前記受付手段が受け付けた複数の回答に基づいて前記表示装置の表示特性を評価することを特徴とする。
【００１０】
また、請求項５の発明は、第１の図形と１つ以上の第２の図形とを該第１の図形と該第２の図形とが接しない位置にそれぞれ配置した画像を生成し、該生成した画像を表示装置に出力する出力処理と、前記出力処理で出力した画像に応じた設問に対する回答を受け付ける受付処理と、前記受付処理で受け付けた回答に基づいて前記表示装置の表示特性を評価する評価処理とをコンピュータに実行させることを特徴とする。
【００１１】
また、請求項６の発明は、請求項５の発明において、前記第２の図形は、前記第１の図形と異なる色の図形を含む複数の図形であり、該複数の図形がそれぞれ接しない位置に配置されることを特徴とする。
【００１２】
また、請求項７の発明は、請求項５の発明において、前記第２の図形は、漸次的に異なる複数色で構成された１つの図形であり、該複数色に前記第１の図形と同じ色を含むことを特徴とする。
【００１３】
また、請求項８の発明は、請求項５の発明において、前記出力処理は、前記第１の図形および前記第２の図形の色と、該第１の図形および該第２の図形の配置位置との少なくとも一方を変化させた複数の画像を生成し、該生成した画像を前記表示装置に順次出力し、前記受付処理は、前記出力処理により前記表示装置に画像を出力する毎に各画像に応じた設問に対する回答を受け付け、前記評価処理は、前記受付処理で受け付けた複数の回答に基づいて前記表示装置の表示特性を評価することを特徴とする。
【００１４】
また、請求項９の発明は、第１の図形と１つ以上の第２の図形とを該第１の図形と該第２の図形とが接しない位置にそれぞれ配置した画像を生成し、該生成した画像を表示装置に出力する出力手段と、前記出力手段が出力した画像に応じた設問に対する回答を受け付ける受付手段と、前記受付手段が受け付けた回答に基づいて前記表示装置の表示特性を評価する評価手段と、前記評価手段による評価結果に応じて、前記表示装置に出力する画像の色再現特性を調整する調整手段とを具備することを特徴とする。
【００１５】
また、請求項１０の発明は、第１の図形と１つ以上の第２の図形とを該第１の図形と該第２の図形とが接しない位置にそれぞれ配置した画像を生成し、該生成した画像を表示装置に出力する出力処理と、前記出力処理で出力した画像に応じた設問に対する回答を受け付ける受付処理と、前記受付処理で受け付けた回答に基づいて前記表示装置の表示特性を評価する評価処理と、前記評価処理による評価結果に応じて、前記表示装置に出力する画像の色再現特性を調整する調整処理とをコンピュータに実行させることを特徴とする。
【発明の効果】
【００１６】
請求項１の発明によれば、閲覧者の表示装置に対する視角に応じた当該表示装置の表示特性を評価することが可能となる。
【００１７】
また、請求項２の発明によれば、本構成を有しない場合に比べて、閲覧者が容易に回答を行うことが可能となる。
【００１８】
また、請求項３の発明によれば、本構成を有しない場合に比べて、閲覧者が適切な回答を行うことが可能となる。
【００１９】
また、請求項４の発明によれば、閲覧者の表示装置に対する視角に応じた当該表示装置の表示特性が、閲覧者の表示装置に対する視角の影響によるものか当該表示装置の特性（表示むら等）の影響によるものかを評価することが可能となる。
【００２０】
また、請求項５の発明によれば、閲覧者の表示装置に対する視角に応じた当該表示装置の表示特性を評価することが可能となる。
【００２１】
また、請求項６の発明によれば、本構成を有しない場合に比べて、閲覧者が容易に回答を行うことが可能となる。
【００２２】
また、請求項７の発明によれば、本構成を有しない場合に比べて、閲覧者が適切な回答を行うことが可能となる。
【００２３】
また、請求項８の発明によれば、閲覧者の表示装置に対する視角に応じた当該表示装置の表示特性が、閲覧者の表示装置に対する視角の影響によるものか当該表示装置の特性（表示むら等）の影響によるものかを評価することが可能となる。
【００２４】
また、請求項９の発明によれば、閲覧者の表示装置に対する視角に応じた当該表示装置の表示特性を評価し、その評価結果に応じた色再現特性の調整が可能となる。
【００２５】
また、請求項１０の発明によれば、閲覧者の表示装置に対する視角に応じた当該表示装置の表示特性を評価し、その評価結果に応じた色再現特性の調整が可能となる。
【図面の簡単な説明】
【００２６】
【図１】情報処理装置の構成例を示すブロック図である。
【図２】表示評価装置の機能的な構成の例を示した図である。
【図３】表示評価装置６０の動作の流れを示すフローチャートである。
【図４】閲覧者の視角について説明するための図である。
【図５】評価画面の例を示した図である。
【図６】評価画面の例を示した図である。
【図７】評価画面の例を示した図である。
【図８】評価画面の例を示した図である。
【図９】評価画面の例を示した図である。
【図１０】評価画面の例を示した図である。
【図１１】表示調整装置の機能的な構成の例を示した図である。
【図１２】表示調整装置３６０の動作の流れを示すフローチャートである。
【発明を実施するための形態】
【００２７】
以下、本発明に係る表示評価装置、表示評価プログラム、表示調整装置、表示調整プログラムの一実施の形態について、添付図面を参照して詳細に説明する。
【実施例１】
【００２８】
表示評価装置は、表示装置を利用するパーソナルコンピュータ等の情報処理装置をプログラムに従って動作させることで実現する。なお、表示装置が同様のプログラムに従って動作する機能を有している場合には、表示装置単体であっても、表示評価装置を実現することは可能である。
【００２９】
図１は、情報処理装置の構成例を示すブロック図である。同図（ａ）に示したものは、表示装置を接続して利用する情報処理装置で、例えば、デスクトップ型のパーソナルコンピュータに相当するものである。また、同図（ｂ）に示したものは、表示装置が一体となっている情報処理装置で、例えば、ノート型のパーソナルコンピュータに相当するものである。
【００３０】
同図（ａ）に示すように、情報処理装置１０は、演算部１１と記憶部１２、一時記憶部１３、記憶装置接続部１４、記憶装置１５、表示装置接続部１６、入力装置接続部１７を有している。
【００３１】
演算部１１は演算処理行うもので、例えば、ＣＰＵ（Central Processing Unit）等のプロセッサにより実現されるものである。
【００３２】
記憶部１２は、プログラムや設定情報等を記憶するもので、例えばＲＯＭ（Read Only Memory）、不揮発性メモリ（Nonvolatile Memory）等の半導体記憶素子で実現されるものである。
【００３３】
一時記憶部１３は、演算部１１が演算処理を行う際の作業領域等に用いられ情報等を一時的に記憶するもので、例えばＲＡＭ(Random Access Memory)等の半導体記憶素子で実現されるものである。
【００３４】
記憶装置接続部１４は、記憶装置１５を接続するインタフェイスであり、記憶装置１５との間で情報等の授受を行うとともに、記憶装置１５の動作を制御するもので、プロセッサ等を含む集積回路等により実現されるものである。
【００３５】
記憶装置１５は、情報等を記憶するもので、磁気ディスクや半導体記憶素子で実現されるものである。
【００３６】
表示装置接続部１６は、表示装置２０を接続するインタフェイスであり、表示装置２０に画面を表示するための信号を生成するもので、プロセッサ等を含む集積回路等により実現されるものである。
【００３７】
入力装置接続部１７は、マウス等のポインティングデバイスやキーボード等である入力装置３０を接続するインタフェイスであり、入力装置３０に対して行われた指示操作に応じた信号を取得するもので、プロセッサ等を含む集積回路等により実現されるものである。
【００３８】
なお、同図（ａ）においては省略しているが、情報処理装置１０には、ネットワークとのインタフェイスとして動作する通信部等の他の構成も含むものである。
【００３９】
また、同図（ｂ）に示すように、情報処理装置５０は、演算部５１と記憶部５２、一時記憶部５３、記憶装置接続部５４、記憶装置５５、表示装置接続部５６、表示装置５７、入力装置接続部５８、入力装置５９を有している。
【００４０】
演算部５１は演算処理行うもので、例えば、ＣＰＵ等のプロセッサにより実現されるものである。
【００４１】
記憶部５２は、プログラムや設定情報等を記憶するもので、例えばＲＯＭ、不揮発性メモリ等の半導体記憶素子で実現されるものである。
【００４２】
一時記憶部５３は、演算部５１が演算処理を行う際の作業領域等に用いられ情報等を一時的に記憶するもので、例えばＲＡＭ等の半導体記憶素子で実現されるものである。
【００４３】
記憶装置接続部５４は、記憶装置５５を接続するインタフェイスであり、記憶装置５５との間で情報等の授受を行うとともに、記憶装置５５の動作を制御するもので、プロセッサ等を含む集積回路等により実現されるものである。
【００４４】
記憶装置５５は、情報等を記憶するもので、磁気ディスクや半導体記憶素子で実現されるものである。
【００４５】
表示装置接続部５６は、表示装置５７を接続するインタフェイスであり、表示装置５７に画面を表示するための信号を生成するもので、プロセッサ等を含む集積回路等により実現されるものである。
【００４６】
表示装置５７は、表示装置接続部５６から出力される信号に応じて、画面を表示するものであり、例えば、液晶等が用いられたものである。
【００４７】
入力装置接続部５８は、入力装置５９を接続するインタフェイスであり、入力装置５９に対して行われた指示操作に応じた信号を取得するもので、プロセッサ等を含む集積回路等により実現されるものである。
【００４８】
入力装置５９は、パッド等のポインティングデバイスやキーボード等である。
【００４９】
なお、同図（ｂ）においては省略しているが、情報処理装置５０には、ネットワークとのインタフェイスとして動作する通信部等の他の構成も含むものである。
【００５０】
情報処理装置１０で表示評価装置を実現する場合、情報処理装置１０の記憶装置１５に記憶したプログラムに基づいて、演算部１１等を動作させ、特性評価のための画面を表示装置２０に表示し、当該表示に対する入力装置３０からの入力にしたがって、特性評価を行う。
【００５１】
同様に、情報処理装置５０で表示評価装置を実現する場合、情報処理装置５０の記憶装置５５に記憶したプログラムに基づいて、演算部５１等を動作させ、特性評価のための画面を表示装置５７に表示し、当該表示に対する入力装置５９からの入力にしたがって、特性評価を行う。
【００５２】
なお、記憶装置１５または記憶装置５５に記憶するプログラムは、ＣＤ−ＲＯＭ（Compact Disk Read Only Memory）等の光記憶媒体または他の媒体等を介して提供することができ、ネットワークを介して提供することもできる。
【００５３】
続いて、表示評価装置の機能的な構成について説明する。図２は、表示評価装置の機能的な構成の例を示した図である。
【００５４】
同図に示すように、表示評価装置６０は、表示画面生成部６１と入力受付部６２、特性評価部６３を有している。なお、情報処理装置５０を利用して表示評価装置６０を実現した場合には、表示装置５７と入力装置５９も表示評価装置６０の一部となる（図中に破線で示す）。
【００５５】
表示画面生成部６１は、表示特性の評価に利用する画面を生成し、生成した画面を表示装置２０または表示装置５７に表示させる。生成する画面の詳細については後述する。
【００５６】
入力受付部６２は、表示装置２０または表示装置５７に表示させた画面に応じて、当該表示装置の閲覧者による指示操作の入力を受け付ける。
【００５７】
特性評価部６３は、表示画面生成部６１が生成した画面と、入力受付部６２が受け付けた当該画面に応じた指示操作の入力に基づいて、表示装置２０または表示装置５７の表示特性を評価する。
【００５８】
次に、表示評価装置６０の動作について説明する。図３は、表示評価装置６０の動作の流れを示すフローチャートである。
【００５９】
表示評価装置６０は、動作を開始すると、まず、表示画面生成部６１が特性評価部６３の指示に基づいて、表示装置２０または表示装置５７の表示特性を評価するための評価画面を生成して、表示装置２０（表示装置５７）に表示させる（ステップ１０１）。
【００６０】
続いて、表示画面生成部６１が表示装置２０（表示装置５７）に表示させた評価画面に応じて、当該画面の閲覧者が入力装置３０または入力装置５９を操作することにより発した入力指示を、入力受付部６２が受け付ける（ステップ１０２）。入力受付部６２が入力指示を受け付けると、特性評価部６３は、表示画面生成部６１が生成した評価画面と入力受付部６２が受け付けた入力指示とに基づいて、表示装置２０（表示装置５７）の表示特性を評価し（ステップ１０３）、処理を終了する。
【００６１】
なお、ここでは、１つの評価画面を表示して、その評価画面に対する回答を入力指示として受け付けるものとして説明したが、受け付けた入力指示に応じて別の評価画面を表示して、さらに回答を入力指示として受け付けて表示特性を評価する場合もある。
【００６２】
ここで、閲覧者の視角について説明する。閲覧者は、基本的には、表示装置に表示される画面を正面から閲覧する傾向にあるが、画面内の注目する位置によって、視角に差が生じてしまうこととなる。例えば、机上に固定的に配置される据え置き型の表示装置２０の場合、図４（ａ）に示すように、閲覧者の視点が図中の符号Ａの位置あったとすれば、画面上部である符号ａの位置を閲覧する際と、画面下部である符号ａ’の位置を閲覧する際とで、画面に対する視角が異なるものとなる。
【００６３】
同様に、表示装置が一体となっている情報処理装置の表示装置５７の場合、図４（ｂ）に示すように、閲覧者の視点が図中の符号Ｂの位置あったとすれば、画面上部である符号ｂの位置を閲覧する際と、画面下部である符号ｂ’の位置を閲覧する際とで、画面に対する視角が異なるものとなる。
【００６４】
また、同じ表示装置５７を閲覧する場合であっても、表示装置５７の情報処理装置５０の本体との相対角度（開き具合）が異なる場合、図４（ｃ）に示すように、閲覧者の視点が図中の符号Ｃの位置あったとすれば、画面上部である符号ｃの位置を閲覧する際と、画面下部である符号ｃ’の位置を閲覧する際とで、画面に対する視角が異なるものとなり、図４（ｂ）に示した場合とも異なるものとなる。
【００６５】
なお、ここでは、画面の上部と下部の閲覧に際して視角の差が生じる場合を説明したが、画面の左部と右部に対しても、閲覧に際して視角の差が生じることとなる。
【００６６】
次に、表示画面生成部６１がが生成する評価画面について説明する。図５乃至１０は、評価画面の例を示した図である。
【００６７】
図５に示した画面２００は、パッチ２０１とパッチ２０２を表示したものである。パッチ２０１とパッチ２０２は、これらを両者が接しないように配置することで、それぞれを閲覧する際の閲覧者の視角が異なることとなる。なお、同図においては、パッチ２０１を画面２００の上部に、パッチ２０２を画面２００の下部に配置しているが、必ずしもこのように配置する必要は無く、例えば、パッチ２０１を画面２００の中央部に配置し、パッチ２０２を画面２００の下部に配置するようにしてもよい。また、パッチ２０１、パッチ２０２は、どのような形状であってもよい。
【００６８】
パッチ２０１とパッチ２０２は、両者が同じ色、または類似する色の組み合わせとして構成され、閲覧者に対しては、両者が同じ色か異なる色かを回答させる。
【００６９】
例えば、パッチ２０１が黒（R=0,G=0,B=0、R,G,Bは、それぞれ赤、緑、青を示し、いずれも０から２５５のいずれかの値となる）で、パッチ２０２がグレー（R=64,G=64,B=64)であった場合、閲覧者が両者を同じ色であると回答する場合がある。この場合、閲覧者は低明度領域の階調が潰れる視角で画面２００を閲覧している可能性が高いと判断することができる。
【００７０】
パッチの色値の決定については、パッチ２０１とパッチ２０２を接触させて表示したときに有意に違いが分かる色を、設定すればよい。
【００７１】
また、パッチ２０１が表示装置２０（５７）の飽和色である青（R=0,G=0,B=255)で、パッチ２０２がパッチ２０１と同色相の色（R=0,G=102,B=255）や色（R=102,G=102,B=255）であった場合に、閲覧者が両者を同じ色であると回答する場合がある。パッチ２０１と同色相の色（R=0,G=102,B=255）のパッチが同じ色であった場合、閲覧者の視角では、緑の階調が潰れてしまっている可能性が高いことがわかる。また、パッチ２０１と同色相の色（R=102,G=102,B=255）のパッチが同じ色であった場合、閲覧者の視角では、赤および緑の階調が潰れてしまっている可能性が高いことがわかる。
【００７２】
図６に示した画面２１０は、パッチ２１１、パッチ２１２、パッチ２１３、パッチ２１４、パッチ２１５、パッチ２１６を表示したものである。パッチ２１１、パッチ２１２、パッチ２１３、パッチ２１４、パッチ２１５、パッチ２１６は、それぞれが接しないように配置され、パッチ２１１は画面２１０の上部に、パッチ２１２、パッチ２１３、パッチ２１４、パッチ２１５、パッチ２１６は、画面２１０の下部に並べて配置される。また、パッチ２１１を、画面２１０の中央部などの他の位置に配置してもよい。また、パッチ２１１、パッチ２１２、パッチ２１３、パッチ２１４、パッチ２１５、パッチ２１６は、どのような形状であってもよい。
【００７３】
パッチ２１２、パッチ２１３、パッチ２１４、パッチ２１５、パッチ２１６は、パッチ２１１と類似する色であり、それぞれが異なる色である。また、パッチ２１２、パッチ２１３、パッチ２１４、パッチ２１５、パッチ２１６のいずれかが、パッチ２１１と同じ色であってもよい。この画面２１０を表示した場合、閲覧者に対しては、パッチ２１１と同じ色（に見える色）を、パッチ２１２、パッチ２１３、パッチ２１４、パッチ２１５、パッチ２１６から選択させ、回答させる。
【００７４】
例えば、パッチ２１１が色（R=0,G=96,B=255）、パッチ２１２が色（R=0,G=160,B=255）、パッチ２１３が色（R=0,G=128,B=255）、パッチ２１４が色（R=0,G=96,B=255）、パッチ２１５が色（R=0,G=64,B=255）、パッチ２１６が色（R=0,G=32,B=255）であった場合、パッチ２１４がパッチ２１１と同色であるにもかかわらず、閲覧者がパッチ２１５をパッチ２１１と同色若しくは最も近い色と回答する場合がある。これは、表示装置２０（５７）が閲覧者の視角で観察すると、画面下部が明るく、画内にムラがあると判断することができる。
【００７５】
また、パッチ２１１が色（R=0,G=96,B=255）、パッチ２１２が色（R=0,G=32,B=255）、パッチ２１３が色（R=0,G=64,B=255）、パッチ２１４が色（R=0,G=96,B=255）、パッチ２１５が色（R=0,G=128,B=255）、パッチ２１６が色（R=0,G=160,B=255）であった場合（パッチ２１２、パッチ２１３、パッチ２１４、パッチ２１５、パッチ２１６の並び順を反転した場合と同じ）、閲覧者がパッチ２１３をパッチ２１１と同色若しくは最も近い色と回答する場合がある。これも、閲覧者の視角で観察すると、画面下部が明るく、画内にムラがあると判断することができる。
【００７６】
なお、パッチ２１１〜パッチ２１６の各色は、赤系の色を変化させたもの、例えば、２１１が色（R=96,G=0,B=255）、パッチ２１２が色（R=32,G=0,B=255）、パッチ２１３が色（R=64,G=0,B=255）、パッチ２１４が色（R=96,G=0,B=255）、パッチ２１５が色（R=128,G=0,B=255）、パッチ２１６が色（R=160,G=0,B=255）としてもよく、青系の色を変化させたもの、例えば、２１１が色（R=255,G=0,B=96）、パッチ２１２が色（R=255,G=0,B=32）、パッチ２１３が色（R=255,G=0,B=64）、パッチ２１４が色（R=255,G=0,B=96）、パッチ２１５が色（R=255,G=0,B=128）、パッチ２１６が色（R=255,G=0,B=160）としてもよい。もちろん、赤系と緑系の両者、赤系と青系の両者等を変化させるようにしたものでもよい。
【００７７】
さらに、評価回数を増やし、パッチ２１２、パッチ２１３、パッチ２１４、パッチ２１５、パッチ２１６の並び順を通常の条件で評価した後に、パッチ２１２、パッチ２１３、パッチ２１４、パッチ２１５、パッチ２１６の並び順を反転して評価し、通常パッチの評価結果と反転パッチの評価結果で同じＲＧＢ値の色を選択した場合は、表示機器の視角に応じた再現特性が原因であると推定し、異なるＲＧＢ値の色を選択した場合、表示機器の画面にムラが原因であると推定することができる。これは、評価の回数を増やしたり、並び順のケースを変更して評価することで精度を向上させることができる。
【００７８】
図７に示した画面２２０は、パッチ２２１、パッチ２２２、パッチ２２３、パッチ２２４、パッチ２２５を表示したものである。パッチ２２１、パッチ２２２、パッチ２２３、パッチ２２４、パッチ２２５、パッチ２２６は、それぞれが接しないように配置され、パッチ２２１は画面２２０の下部に、パッチ２２２、パッチ２２３、パッチ２２４、パッチ２２５、パッチ２２６は、画面２１０の上部に並べて配置される。また、パッチ２２１を、画面２２０の中央部などの他の位置に配置してもよい。
【００７９】
パッチ２２２、パッチ２２３、パッチ２２４、パッチ２２５、パッチ２２６は、パッチ２２１と類似する色であり、それぞれが異なる色である。また、パッチ２２２、パッチ２２３、パッチ２２４、パッチ２２５、パッチ２２６のいずれかが、パッチ２２１と同じ色であってもよい。この画面２２０を表示した場合、閲覧者に対しては、パッチ２２１と同じ色（に見える色）を、パッチ２２２、パッチ２２３、パッチ２２４、パッチ２２５、パッチ２２６から選択させ、回答させる。
【００８０】
この画面２２０は、前述した画面２１０を上下反転させたものであり、画面２１０の場合と同様の判断を行うことができる。位置を反転させて評価することで、パッチ２１１とパッチ２１２〜パッチ２１６の視角の関係と、パッチ２２１とパッチ２２２〜パッチ２２６の関係は逆の視角の関係になる。視角を反転させた状態で、前述の図６を参照して説明した方法と同様の評価を実施することで、表示機器の視角特性および、面内のムラの特性の評価精度を向上させることができる。
【００８１】
また、図６に示した画面２１０（色を変化させたものや表示位置を反転させたものも含む）と、図７に示した画面２２０（色を変化させたものや表示位置を反転させたものも含む）を適宜組み合わせ、これらを順次用いて評価を行うことで、表示機器の視角特性および、面内のムラの特性の評価精度を向上させることができる。例えば、複数回の評価を行った際に、その評価結果がパッチ２１１等の位置関係に依存していた場合には、閲覧者による視角の影響が大きく、評価結果がパッチ２１１等の位置関係に依存していない場合には、面内のムラ影響が大きいと評価することができる。
【００８２】
図８に示した画面２３０は、パッチ２３１、パッチ２３２、パッチ２３３、パッチ２３４、パッチ２３５を表示したものである。パッチ２３１、パッチ２３２、パッチ２３３、パッチ２３４、パッチ２３５は、それぞれが接しないように配置され、パッチ２３１は画面２２０の左部に、パッチ２３２、パッチ２３３、パッチ２３４、パッチ２３５は、画面２３０の右部に並べて配置される。また、パッチ２３１を、画面２３０の中央部などの他の位置に配置してもよく、パッチ２３１を、画面２３０の右部に配置し、パッチ２３１、パッチ２３２、パッチ２３３、パッチ２３４、パッチ２３５を画面２３０の左部に配置してもよい。
【００８３】
パッチ２３２、パッチ２３３、パッチ２３４、パッチ２３５は、パッチ２３１と類似する色であり、それぞれが異なる色である。また、パッチ２３２、パッチ２３３、パッチ２３４、パッチ２３５のいずれかが、パッチ２３１と同じ色であってもよい。この画面２３０を表示した場合、閲覧者に対しては、パッチ２３１と同じ色（に見える色）を、パッチ２３２、パッチ２３３、パッチ２３４、パッチ２３５から選択させ、回答させる。
【００８４】
この画面２３０は、前述した画面２１０を９０度転回させたものであり、画面２１０の場合と同様の判断を行うことができる。
【００８５】
なお、パッチ２１２〜パッチ２１６の値については、本実施例ではＲＧＢ値上で差分が均等になるように配置しているが、標準的な表示装置において目視上（デバイスに非依存）の色空間上で再現したときに均等の値となるように予測した色を表示してもよい。
【００８６】
また、表示機器であらかじめパッチ２１２からパッチ２１６の再現を確認し、すべてのパッチに差分があるか確認できる値となっていることを確認してからパッチ２１２からパッチ２１６の値を決定してもよい。この場合、表示機器正面でパッチ２１４からパッチ２１６のパッチの色味がつぶれているのであれば、色値の中心（パッチ２１１の値およびパッチ２１４）の値をパッチ２１２側にずらすようにして決定してもよい。
【００８７】
図９に示した画面２４０は、パッチ２４１とパッチ２４２を表示したものである。パッチ２４１とパッチ２４２は、両者が接しないように配置され、パッチ２４１は画面２４０の上部に、パッチ２４２は、画面２４０の下部に並べて配置される。また、パッチ２４１を、画面２４０の中央部などの他の位置に配置してもよい。
【００８８】
パッチ２４２は、パッチ２４１と同色および類似する色を含むグラデーションで構成されるもので、閲覧者に対しては、パッチ２４２からパッチ２４１と同じに見える色の部分を選択させ、回答させる。
【００８９】
この画面２４０による表示特性の判断は、前述した画面２１０における判断と同様である。
【００９０】
図１０に示した画面２５０は、パッチ２５１とパッチ２５２を表示し、かつ、パッチ２５２を複数のスリット２５３で分割したものである。パッチ２５１とパッチ２５２は、前述の画面２４０のパッチ２４１とパッチ２４２に相当するもので、画面２４０の場合よりも、閲覧者による選択が容易となるようにしたものである。
【００９１】
なお、図５乃至１０に示した評価画面以外であっても、閲覧者による視角が異なる位置にパッチ等を配置したものを評価画面として利用することができる。
【実施例２】
【００９２】
実施例２では、実施例１で説明した表示評価装置６０と同様の機能を有し、その評価結果を利用して表示装置の色再現特性を調整する表示調整装置について説明する。
【００９３】
ここで説明する表示調整装置は、実施例１で説明した表示評価装置６０と同様に、表示装置を利用するパーソナルコンピュータ等の情報処理装置をプログラムに従って動作させることで実現する。また、表示装置が同様のプログラムに従って動作する機能を有している場合には、表示装置単体であっても、表示調整装置を実現することは可能である。なお、情報処理装置の構成については、実施例１の場合と同様であるため、ここでの説明は省略する。
【００９４】
続いて、表示調整装置の機能的な構成について説明する。図１１は、表示調整装置の機能的な構成の例を示した図である。
【００９５】
同図に示すように、表示調整装置３６０は、表示画面生成部３６１と入力受付部３６２、特性評価部３６３、色再現特性調整部３６４を有している。なお、情報処理装置５０を利用して表示調整装置３６０を実現した場合には、表示装置５７と入力装置５９も表示調整装置３６０の一部となる（図中に破線で示す）。
【００９６】
表示画面生成部３６１は、表示特性の評価に利用する画面を生成し、生成した画面を表示装置２０または表示装置５７に表示させる。生成する画面は、実施例１の表示評価装置６０の表示画面生成部６１が生成する画面と同様のものである。
【００９７】
入力受付部３６２は、表示装置２０または表示装置５７に表示させた画面に応じて、当該表示装置の閲覧者による指示操作の入力を受け付ける。
【００９８】
特性評価部３６３は、表示画面生成部３６１が生成した画面と、入力受付部３６２が受け付けた当該画面に応じた指示操作の入力に基づいて、表示装置２０または表示装置５７の表示特性を評価する。
【００９９】
色再現特性調整部３６４は、特性評価部３６３による表示特性の評価結果に応じて、画面の色を調整するためのパラメータ等を含む表示機器特性プロファイル（以下単にプロファイルとする）の作成またはすでに情報処理装置１０または情報処理装置５０に格納されているプロファイルの調整を行う。色再現特性調整部３６４は、表示調整装置３６０に専用の機能部ではなく、情報処理装置１０または情報処理装置５０が他のプログラムを動作させることにより実現する各機能部が表示装置２０または表示装置５７へ画面を出力する際の色調整も行うこととなる。
【０１００】
次に、表示調整装置３６０の動作について説明する。図１２は、表示調整装置３６０の動作の流れを示すフローチャートである。
【０１０１】
表示調整装置３６０は、動作を開始すると、まず、表示画面生成部３６１が特性評価部３６３の指示に基づいて、表示装置２０または表示装置５７の表示特性を評価するための評価画面を生成して、表示装置２０（表示装置５７）に表示させる（ステップ４０１）。
【０１０２】
続いて、表示画面生成部３６１が表示装置２０（表示装置５７）に表示させた評価画面に応じて、当該画面の閲覧者が入力装置３０または入力装置５９を操作することにより発した入力指示を、入力受付部３６２が受け付ける（ステップ４０２）。
【０１０３】
入力受付部３６２が入力指示を受け付けると、特性評価部３６３は、表示画面生成部３６１が生成した評価画面と入力受付部３６２が受け付けた入力指示とに基づいて、表示装置２０（表示装置５７）の表示特性を評価する（ステップ４０３）。
【０１０４】
なお、ここでは、特性評価部３６３による表示特性の評価に際して、１つの評価画面を表示して、その評価画面に対する回答を入力指示として受け付けるものとして説明したが、受け付けた入力指示に応じて別の評価画面を表示して、さらに回答を入力指示として受け付けて表示特性を評価する場合もある。
【０１０５】
そして、特性評価部３６３による評価結果に応じて、色再現特性調整部３６４が、色再現特性の調整、つまり、プロファイルの調整を行い（ステップ４０４）、処理を終了する。
【０１０６】
色再現特性調整部３６４による色再現特性の調整は、例えば、前述の画面２００（図５）を評価画面とし、パッチ２０１を黒、パッチ２０２をグレーで表示した際に、閲覧者が両者を同じ色として回答した場合には、少なくともパッチ２０２の色までは、黒の階調特性が潰れたモニタであるということが予測できる（パッチ２０２はグレーなので、赤、緑、青のすべての色で黒からの階調が潰れていることが予測できる）。つまり、黒からパッチ２０２の色までの階調を潰した階調特性を持った表示機器特性であるので、黒からパッチ２０２の色までを同一の値とした階調特性をプロファイルに格納する。
【０１０７】
パッチの表示位置については、パッチ２０１もしくはパッチ２０２のどちらかを表示機器の中心または、通常使用で最も使用頻度の高い箇所、または正しい色を表示したい表示機器上の位置に配置することが望ましい。表示機器の中心または、最も使用頻度の高い箇所で、表示機器のプロファイルを作成することで、普段使用する頻度の高い領域の色を閲覧者が閲覧した視角で正しく認識できるすることができる。
【０１０８】
また、前述の画面２１０（図６）を評価画面とした場合に、パッチ２１１と異なる色、例えば、パッチ２１５をパッチ２１１と同色または最も近い色として閲覧者が選択した場合、階調特性の調整を行う。階調特性の方向は、パッチ２１１とパッチ２１５の値を比較して差分のある色データを抽出し、パッチ２１５の色データがパッチ２１１よりも小さい値の色の場合、明るくなる方向に補正した階調特性をプロファイルに格納し、逆の場合は暗くなる方向に補正した階調特性をプロファイルに格納する。補正量は、パッチ２１１と同じ色に見えたパッチ（例えばパッチ２１５）の差分値が補正されるように情報機器装置５０に格納されているプロファイルの階調特性を変更してもよいし、パッチ２１１と同じ色に見えたパッチ（例えばパッチ２１５）の差分値が補正されるように表示機器の標準的なプロファイルの値の階調特性を変更してもよい。生成したプロファイルを用いて階調特性の調整等を行い、閲覧者が閲覧した視角で色を正しく認識できるようにする。
【符号の説明】
【０１０９】
１０    情報処理装置
１１    演算部
１２    記憶部
１３    一時記憶部
１４    記憶装置接続部
１５    記憶装置
１６    表示装置接続部
１７    入力装置接続部
２０    表示装置
２１    入力装置
５０    情報処理装置
５１    演算部
５２    記憶部
５３    一時記憶部
５４    記憶装置接続部
５５    記憶装置
５６    表示装置接続部
５７    表示装置
５８    入力装置接続部
５９    入力装置
６０    表示評価装置
６１    表示画面生成部
６２    入力受付部
６３    特性評価部
３６０    表示調整装置
３６１    表示画面生成部
３６２    入力受付部
３６３    特性評価部
３６４    色再現特性調整部
【図１】
0005354479.tif 000002
【図２】
0005354479.tif 000003
【図３】
0005354479.tif 000004
【図４】
0005354479.tif 000005
【図５】
0005354479.tif 000006
【図６】
0005354479.tif 000007
【図７】
0005354479.tif 000008
【図８】
0005354479.tif 000009
【図９】
0005354479.tif 000010
【図１０】
0005354479.tif 000011
【図１１】
0005354479.tif 000012
【図１２】
0005354479.tif 000013